(57)【要約】【課題】携帯端末装置の姿勢に応じて当該携帯端末装置の様々な動作内容を制御することにより、ユーザの利便性を向上することが可能な携帯端末装置を得る。【解決手段】携帯端末装置５は、記録担体に対してデータの読み取り及び／又は書き込みを行う携帯端末装置であって、電源投入状態を維持したまま実行される携帯端末装置５の動作内容が、角度及び／又は方向に対応付けられて記憶された記憶部１７と、所定の基準姿勢からの携帯端末装置５の姿勢の傾斜角度及び／又は傾斜方向を検出する姿勢検出部１９と、姿勢検出部１９によって検出された傾斜角度及び／又は傾斜方向に対応する動作内容を記憶部１７から読み出して、当該動作内容で携帯端末装置５を動作させる制御部１１とを備える。【選択図】図２
2010182198.tif 000002
【特許請求の範囲】
【請求項１】
記録担体に対してデータの読み取り及び／又は書き込みを行う携帯端末装置であって、
電源投入状態を維持したまま実行される前記携帯端末装置の動作内容が、角度及び／又は方向に対応付けられて記憶された記憶手段と、
所定の基準姿勢からの前記携帯端末装置の姿勢の傾斜角度及び／又は傾斜方向を検出する検出手段と、
前記検出手段によって検出された傾斜角度及び／又は傾斜方向に対応する動作内容を前記記憶手段から読み出して、当該動作内容で前記携帯端末装置を動作させる制御手段と
を備える、携帯端末装置。
【請求項２】
前記動作内容には、
前記記録担体からの前記データの読み取り、
前記記録担体への前記データの書き込み、
前記携帯端末装置の外部への前記データの送信、
前記携帯端末装置の外部からの前記データの受信、及び、
前記携帯端末装置の内部に蓄積されている前記データの消去
のうちの少なくとも一つが含まれる、請求項１に記載の携帯端末装置。
【請求項３】
前記制御手段は、前記検出手段が前記携帯端末装置の姿勢の傾斜角度及び／又は傾斜方向を所定時間以上継続して検出したことを条件として、当該傾斜角度及び／又は傾斜方向に対応する動作内容で前記携帯端末装置を動作させる、請求項１又は２に記載の携帯端末装置。
【請求項４】
所望の動作内容が指定された後、前記携帯端末装置の姿勢を所望の傾斜姿勢で所定時間以上継続して維持することにより、当該動作内容が当該傾斜姿勢の傾斜角度及び／又は傾斜方向に対応付けられて前記記憶手段に記憶される、請求項１〜３のいずれか一つに記載の携帯端末装置。
【請求項５】
請求項１〜４のいずれか一つに記載の携帯端末装置と、
前記携帯端末装置によって記録担体に対して読み取り及び／又は書き込みが行われるデータを管理するデータ管理装置と
を備える、データ管理システム。
【請求項６】
所定の基準姿勢からの携帯端末装置の姿勢の傾斜角度及び／又は傾斜方向を検出する検出手段を備え、記録担体に対してデータの読み取り及び／又は書き込みを行う当該携帯端末装置に搭載されるコンピュータを動作させるプログラムであって、
前記コンピュータを、
電源投入状態を維持したまま実行される前記携帯端末装置の動作内容が、角度及び／又は方向に対応付けられて記憶された記憶手段と、
前記検出手段によって検出された傾斜角度及び／又は傾斜方向を取得する取得手段と、
前記取得手段によって取得された傾斜角度及び／又は傾斜方向に対応する動作内容を前記記憶手段から読み出して、当該動作内容で前記携帯端末装置を動作させる制御手段と
として機能させる、プログラム。
【発明の詳細な説明】
【技術分野】
【０００１】
本発明は、ハンディターミナル等の携帯端末装置に関し、さらに、当該携帯端末装置を備えるデータ管理システム、及び、当該携帯端末装置に搭載されるコンピュータを動作させるプログラムに関する。
【背景技術】
【０００２】
店舗での商品管理、倉庫での在庫管理、又は特定施設での来場者管理等においては、バーコード等の記録担体からデータを非接触で読み取るために、又は、ＩＣタグ等の記録担体に対してデータの読み取り及び書き込みを非接触で行うために、ハンディターミナル等の携帯端末装置が広く使用されている。
【０００３】
下記特許文献１には、加速度センサ等の傾き検出部を備えたハンディターミナルが開示されている。このハンディターミナルは、一定時間以上継続して操作が行われなかった場合に電源を自動的にオフする機能（オートパワーオフ機能）を備えている。そして、電源スイッチの押下ではなくオートパワーオフ機能によって電源がオフされた場合において、傾き検出部が情報端末の傾きの変化を検出したときには、ハンディターミナルが電源オフの状態から電源オンの状態に復帰する。
【先行技術文献】
【特許文献】
【０００４】
【特許文献１】特開２００５−２７５８６７号公報
【発明の概要】
【発明が解決しようとする課題】
【０００５】
上記特許文献１に開示されたハンディターミナルによると、傾き検出部を備えているにも拘わらず、傾き検出部による傾きの検出結果は電源オンの制御にしか利用されない。
【０００６】
本発明はかかる事情に鑑みて成されたものであり、携帯端末装置の姿勢に応じて当該携帯端末装置の様々な動作内容を制御することにより、ユーザの利便性を向上し得る、携帯端末装置、データ管理システム、及びプログラムを得ることを目的とするものである。
【課題を解決するための手段】
【０００７】
本発明の第１の態様に係る携帯端末装置は、記録担体に対してデータの読み取り及び／又は書き込みを行う携帯端末装置であって、電源投入状態を維持したまま実行される前記携帯端末装置の動作内容が、角度及び／又は方向に対応付けられて記憶された記憶手段と、所定の基準姿勢からの前記携帯端末装置の姿勢の傾斜角度及び／又は傾斜方向を検出する検出手段と、前記検出手段によって検出された傾斜角度及び／又は傾斜方向に対応する動作内容を前記記憶手段から読み出して、当該動作内容で前記携帯端末装置を動作させる制御手段とを備えることを特徴とするものである。
【０００８】
第１の態様に係る携帯端末装置によれば、検出手段は、基準姿勢からの携帯端末装置の姿勢の傾斜角度及び／又は傾斜方向を検出する。そして、制御手段は、検出手段によって検出された傾斜角度及び／又は傾斜方向に対応する動作内容を記憶手段から読み出して、その動作内容で携帯端末装置を動作させる。このように、傾斜姿勢に応じて携帯端末装置の動作内容を制御することにより、スイッチ操作が不要となるため、ユーザの利便性を向上することが可能となる。
【０００９】
なお、本発明に係る携帯端末装置が備える制御手段によって制御される動作内容は、電源投入状態を維持したまま実行される携帯端末装置の動作である。従って、電源オフの状態から電源オンの状態に復帰させる動作は、当該動作内容の範囲には含まれない。
【００１０】
本発明の第２の態様に係る携帯端末装置は、第１の態様に係る携帯端末装置において特に、前記動作内容には、前記記録担体からの前記データの読み取り、前記記録担体への前記データの書き込み、前記携帯端末装置の外部ネットワークへの前記データの送信、前記携帯端末装置の外部ネットワークからの前記データの受信、及び、前記携帯端末装置の内部に蓄積されている前記データの消去のうちの少なくとも一つが含まれることを特徴とするものである。
【００１１】
第２の態様に係る携帯端末装置によれば、記録担体からのデータの読み取り、記録担体へのデータの書き込み、携帯端末装置の外部へのデータの送信、携帯端末装置の外部からのデータの受信、及び、携帯端末装置の内部に蓄積されているデータの消去のうちの少なくとも一つの動作を、携帯端末装置の傾斜姿勢に応じて制御することができる。従って、これらの動作を実行するにあたってスイッチ操作が不要となるため、ユーザの利便性を向上することが可能となる。
【００１２】
本発明の第３の態様に係る携帯端末装置は、第１又は第２の態様に係る携帯端末装置において特に、前記制御手段は、前記検出手段が前記携帯端末装置の姿勢の傾斜角度及び／又は傾斜方向を所定時間以上継続して検出したことを条件として、当該傾斜角度及び／又は傾斜方向に対応する動作内容で前記携帯端末装置を動作させることを特徴とするものである。
【００１３】
第３の態様に係る携帯端末装置によれば、制御手段は、検出手段が携帯端末装置の姿勢の傾斜角度及び／又は傾斜方向を所定時間以上継続して検出したことを条件として、当該傾斜角度及び／又は傾斜方向に対応する動作内容で携帯端末装置を動作させる。このように、検出手段が所定時間以上継続して検出したことを条件とすることにより、携帯端末装置の誤動作を防止することが可能となる。
【００１４】
本発明の第４の態様に係る携帯端末装置は、第１〜第３のいずれか一つの態様に係る携帯端末装置において特に、所望の動作内容が指定された後、前記携帯端末装置の姿勢を所望の傾斜姿勢で所定時間以上継続して維持することにより、当該動作内容が当該傾斜姿勢の傾斜角度及び／又は傾斜方向に対応付けられて前記記憶手段に記憶されることを特徴とするものである。
【００１５】
第４の態様に係る携帯端末装置によれば、所望の動作内容が指定された後、携帯端末装置の姿勢を所望の傾斜姿勢で所定時間以上継続して維持することにより、当該動作内容が当該傾斜姿勢の傾斜角度及び／又は傾斜方向に対応付けられて記憶手段に記憶される。従って、追加又は変更したい動作内容をメニューからの選択等によって指定した後に、携帯端末装置を所望の姿勢で所定時間以上継続して傾斜させることにより、その動作内容をその傾斜姿勢に対応付けて簡易に記憶手段に記憶することができる。
【００１６】
本発明の第５の態様に係るデータ管理システムは、第１〜第４のいずれか一つの態様に係る携帯端末装置と、前記携帯端末装置によって記録担体に対して読み取り及び／又は書き込みが行われるデータを管理するデータ管理装置とを備えることを特徴とするものである。
【００１７】
第５の態様に係るデータ管理システムによれば、当該データ管理システムは第１〜第４のいずれか一つの態様に係る携帯端末装置を備える。当該携帯端末装置において、検出手
段は、基準姿勢からの携帯端末装置の姿勢の傾斜角度及び／又は傾斜方向を検出する。そして、制御手段は、検出手段によって検出された傾斜角度及び／又は傾斜方向に対応する動作内容を記憶手段から読み出して、その動作内容で携帯端末装置を動作させる。このように、傾斜姿勢に応じて携帯端末装置の動作内容を制御することにより、スイッチ操作が不要となるため、ユーザの利便性を向上することが可能となる。
【００１８】
本発明の第６の態様に係るプログラムは、所定の基準姿勢からの携帯端末装置の姿勢の傾斜角度及び／又は傾斜方向を検出する検出手段を備え、記録担体に対してデータの読み取り及び／又は書き込みを行う当該携帯端末装置に搭載されるコンピュータを動作させるプログラムであって、前記コンピュータを、電源投入状態を維持したまま実行される前記携帯端末装置の動作内容が、角度及び／又は方向に対応付けられて記憶された記憶手段と、前記検出手段によって検出された傾斜角度及び／又は傾斜方向を取得する取得手段と、前記取得手段によって取得された傾斜角度及び／又は傾斜方向に対応する動作内容を前記記憶手段から読み出して、当該動作内容で前記携帯端末装置を動作させる制御手段ととして機能させることを特徴とするものである。
【００１９】
第６の態様に係るプログラムによれば、取得手段は、検出手段によって検出された基準姿勢からの携帯端末装置の姿勢の傾斜角度及び／又は傾斜方向を取得する。そして、制御手段は、取得手段によって取得された傾斜角度及び／又は傾斜方向に対応する動作内容を記憶手段から読み出して、その動作内容で携帯端末装置を動作させる。このように、傾斜姿勢に応じて携帯端末装置の動作内容を制御することにより、スイッチ操作が不要となるため、ユーザの利便性を向上することが可能となる。
【発明の効果】
【００２０】
本発明によれば、携帯端末装置の姿勢に応じて当該携帯端末装置の様々な動作内容を制御することにより、ユーザの利便性を向上することが可能となる。
【図面の簡単な説明】
【００２１】
【図１】本発明の実施の形態に係るデータ管理システムの全体構成を概略的に示す図である。
【図２】携帯端末装置の機能構成の一部を示すブロック図である。
【図３】携帯端末装置の外観構成を模式的に示す平面図である。
【図４】携帯端末装置の外観構成を模式的に示す平面図である。
【図５】携帯端末装置の様々な姿勢を示す図である。
【図６】携帯端末装置の様々な姿勢を示す図である。
【図７】データテーブルの一例を示す図である。
【図８】通常動作モードのキー入力待ち時において制御部が実行する処理を示すフローチャートである。
【図９】データテーブルへの項目の追加処理の流れを示すフローチャートである。
【発明を実施するための形態】
【００２２】
以下、本発明の実施の形態について、図面を用いて詳細に説明する。なお、異なる図面において同一の符号を付した要素は、同一又は相応する要素を示すものとする。
【００２３】
図１は、本発明の実施の形態に係るデータ管理システム１の全体構成を概略的に示す図である。図１に示すようにデータ管理システム１は、データ管理装置としてのパソコン２と、通信ネットワーク３を介してパソコン２に接続された複数の無線アクセスポイント４と、無線アクセスポイント４との間で無線によるデータの送受信が可能な携帯端末装置５とを備えて構成されている。
【００２４】
携帯端末装置５はハンディターミナル等であり、店舗での商品管理、倉庫での在庫管理、又は特定施設での来場者管理等において、バーコード等の記録担体からデータを非接触で読み取るために、又は、ＩＣタグ等の記録担体に対してデータの読み取り及び書き込みを非接触で行うために用いられる。データ管理システム１においては、携帯端末装置５によって収集されたデータが、いずれかの無線アクセスポイント４及び通信ネットワーク３を介してパソコン２に送信され、パソコン２によってデータが管理される。
【００２５】
図２は、携帯端末装置５の機能構成の一部を示すブロック図である。図２に示すように携帯端末装置５は、電源部１０、ＣＰＵ等の制御部１１、タイムカウンタ等の計時部１２、バーコードリーダ（二次元コードリーダを含む）１３、ＲＦＩＤリーダライタ１４、液晶表示装置等の表示部１５、操作キー群等の操作部１６、半導体メモリ又はハードディスク等の記憶部１７、通信部１８、姿勢検出部１９、及び、姿勢検出部１９との入力インタフェースである取得部２０を備えて構成されている。
【００２６】
姿勢検出部１９は、２個の２軸ジャイロセンサ、又は１個の３軸ジャイロセンサ等を用いて携帯端末装置５の姿勢を検出し、検出した姿勢データを出力する。ジャイロセンサの代わりに、加速度センサを用いることもできる。通信部１８は、無線ＬＡＮによって無線アクセスポイント４との間でデータの送受信が可能であり、また、Ｂｌｕｅｔｏｏｔｈ（登録商標）によってプリンタ等の外部機器との間でデータの送受信が可能である。記憶部１７には、制御部１１を動作させるためのプログラム３０と、後述するデータテーブル３１と、記録担体から読み出した又は記録担体に書き込むデータ３２とが記憶されている。
【００２７】
図３，４は、携帯端末装置５の外観構成を模式的に示す平面図である。図３は表示部１５が配置されている面を眺めたものであり、図４はバーコードリーダ１３が配置されている面を眺めたものである。図２に示した電源部１０、制御部１１、計時部１２、ＲＦＩＤリーダライタ１４、記憶部１７、通信部１８、姿勢検出部１９、及び取得部２０は、携帯端末装置５の筐体の内部に配置されている。なお、以下の説明では、バーコードリーダ１３が配置されている面（つまり図４に示した面）を、携帯端末装置５の正面とする。
【００２８】
図５，６は、携帯端末装置５の様々な姿勢を示す図である。図５の（Ａ）には、携帯端末装置５の直立姿勢を示している。図５の（Ｂ）には、携帯端末装置５を前方に３０度傾斜させた傾斜姿勢を示している。ここで本明細書では、ユーザが正面を前に向けて携帯端末装置５を保持した際にその正面の法線がユーザから遠ざかって延びる方向（図３に示した矢印Ｃが示す方向）を「前方」と定義する。図５の（Ｃ）には、携帯端末装置５を後方に３０度傾斜させた傾斜姿勢を示している。図５の（Ｄ）には、携帯端末装置５を右方に９０度傾斜させた傾斜姿勢を示している。図５の（Ｅ）には、携帯端末装置５を左方に６０度傾斜させた傾斜姿勢を示している。図６の（Ｆ）には、携帯端末装置５を後方に６０度傾斜させた傾斜姿勢を示している。図６の（Ｇ）には、携帯端末装置５を右方に３０度傾斜させた傾斜姿勢を示している。図６の（Ｈ）には、携帯端末装置５を右方に６０度傾斜させた傾斜姿勢を示している。図６の（Ｉ）には、携帯端末装置５を左方に３０度傾斜させた傾斜姿勢を示している。図６の（Ｊ）には、携帯端末装置５を前方に６０度傾斜させた傾斜姿勢を示している。
【００２９】
図７は、データテーブル３１の一例を示す図である。データテーブル３１には、処理ナンバーで区別された複数個（図７に示した例では１２個）の項目が規定されている。また、各項目には、傾斜角度、傾斜方向、及び動作内容が対応付けられている。
【００３０】
処理ナンバーＮ１の項目に関しては、ハイバーネートモードへ移行するという動作内容が、傾斜角度Ａ１及び傾斜方向Ｄ１に対応付けられている。ここでハイバーネートモードは、いわゆる省電力モードを意味する。ハイバーネートモードにおいては、電源部１０か
ら制御部１１（特にＣＰＵのコア部分）及び計時部１２への給電は行われるが、その他への給電は停止されており、これによって消費電力の低減が図られる。傾斜角度Ａ１は、例えば、直立姿勢（図５の（Ａ）参照）を基準姿勢として「約９０度」に設定されている。傾斜方向Ｄ１は、例えば、「左方又は右方」に設定されている。なお、右方に９０度傾斜した傾斜姿勢は、図５の（Ｄ）に示されている。
【００３１】
処理ナンバーＮ２の項目に関しては、ハイバーネートモードから通常動作モード（電源オンモード）に復帰するという動作内容が、傾斜角度Ａ２及び傾斜方向Ｄ２に対応付けられている。通常動作モードにおいては、電源部１０から図２に示した各部への給電が行われ、これによって携帯端末装置５の全ての機能は通常に動作可能である。傾斜角度Ａ２は、例えば、ハイバーネートモードの姿勢を基準姿勢として「２０度以上」に設定されている。傾斜方向Ｄ２は、例えば、前方、後方、右方、及び左方の全てを含む「全方向」に設定されている。
【００３２】
処理ナンバーＮ３の項目に関しては、バーコードを読み取るという動作内容が、傾斜角度Ａ３及び傾斜方向Ｄ３に対応付けられている。バーコードリーダ１３を動作させるためのアプリケーションが起動されることにより、バーコードリーダ１３がバーコードの読み取り処理を実行する。傾斜角度Ａ３は、例えば、直立姿勢を基準姿勢として「約３０度」に設定されている。傾斜方向Ｄ３は、例えば、「前方」に設定されている。なお、前方に３０度傾斜した傾斜姿勢は、図５の（Ｂ）に示されている。
【００３３】
処理ナンバーＮ４の項目に関しては、無線ＬＡＮによってデータを送信するという動作内容が、傾斜角度Ａ４及び傾斜方向Ｄ４に対応付けられている。無線ＬＡＮの送信に関するアプリケーションが起動されることにより、通信部１８から無線アクセスポイント４に向けてデータが送信される。傾斜角度Ａ４は、例えば、直立姿勢を基準姿勢として「約３０度」に設定されている。傾斜方向Ｄ４は、例えば、「右方」に設定されている。なお、右方に３０度傾斜した傾斜姿勢は、図６の（Ｇ）に示されている。
【００３４】
処理ナンバーＮ５の項目に関しては、無線ＬＡＮによってデータを受信するという動作内容が、傾斜角度Ａ５及び傾斜方向Ｄ５に対応付けられている。無線ＬＡＮの受信に関するアプリケーションが起動されることにより、通信部１８は無線アクセスポイント４からデータを受信する。傾斜角度Ａ５は、例えば、直立姿勢を基準姿勢として「約３０度」に設定されている。傾斜方向Ｄ５は、例えば、「左方」に設定されている。なお、左方に３０度傾斜した傾斜姿勢は、図６の（Ｉ）に示されている。
【００３５】
処理ナンバーＮ６の項目に関しては、蓄積データを消去するという動作内容が、傾斜角度Ａ６及び傾斜方向Ｄ６に対応付けられている。記憶部１７の動作を制御するアプリケーションが起動されることにより、記憶部１７内に蓄積されているデータ３２が消去される。傾斜角度Ａ６は、例えば、直立姿勢を基準姿勢として「約６０度」に設定されている。傾斜方向Ｄ６は、例えば、「後方」に設定されている。なお、後方に６０度傾斜した傾斜姿勢は、図６の（Ｆ）に示されている。
【００３６】
処理ナンバーＮ７の項目に関しては、Ｂｌｕｅｔｏｏｔｈ（登録商標）によってデータを送信するという動作内容が、傾斜角度Ａ７及び傾斜方向Ｄ７に対応付けられている。Ｂｌｕｅｔｏｏｔｈ（登録商標）の送信に関するアプリケーションが起動されることにより、通信部１８からプリンタ等の外部機器に向けてデータが送信される。傾斜角度Ａ７は、例えば、直立姿勢を基準姿勢として「約６０度」に設定されている。傾斜方向Ｄ７は、例えば、「右方」に設定されている。なお、右方に６０度傾斜した傾斜姿勢は、図６の（Ｈ）に示されている。
【００３７】
処理ナンバーＮ８の項目に関しては、Ｂｌｕｅｔｏｏｔｈ（登録商標）によってデータを受信するという動作内容が、傾斜角度Ａ８及び傾斜方向Ｄ８に対応付けられている。Ｂｌｕｅｔｏｏｔｈ（登録商標）の受信に関するアプリケーションが起動されることにより、通信部１８は外部機器からデータを受信する。傾斜角度Ａ８は、例えば、直立姿勢を基準姿勢として「約６０度」に設定されている。傾斜方向Ｄ８は、例えば、「左方」に設定されている。なお、左方に６０度傾斜した傾斜姿勢は、図５の（Ｅ）に示されている。
【００３８】
図８は、通常動作モードのキー入力待ち時において制御部１１が実行する処理を示すフローチャートである。ここでキー入力待ち時とは、バーコードリーダ１３、ＲＦＩＤリーダライタ１４、操作部１６、及び通信部１８等の各機能が実行されていないアイドル状態を意味する。
【００３９】
まずステップＳＰ１１において制御部１１は、姿勢検出部１９によって検出された携帯端末装置５の現在の姿勢（以下「現姿勢」と称す）に関する姿勢データを、取得部２０を介して取得する。姿勢データの取得は、例えば１００ｍｓｅｃ毎に周期的に実行される。
【００４０】
次にステップＳＰ１２において制御部１１は、ステップＳＰ１１で取得した姿勢データに基づいて、現姿勢が直立姿勢から変化しているか否かを判定する。
【００４１】
現姿勢が直立姿勢から変化していない場合（つまりステップＳＰ１２における判定の結果が「ＮＯ」である場合）は、リターンする。すなわち、今回取得された姿勢データに基づく処理を終了する。
【００４２】
一方、現姿勢が直立姿勢から変化している場合（つまりステップＳＰ１２における判定の結果が「ＹＥＳ」である場合）は、次にステップＳＰ１３において制御部１１は、略同一の傾斜姿勢が所定時間（例えば２ｓｅｃ）以上継続しているか否かを判定する。具体的には、計時部１２によって経過時間をカウントしながら、略同一傾斜角度かつ略同一傾斜方向を示す姿勢データを所定時間以上継続して取得部２０から取得しているか否かを判定する。
【００４３】
略同一の傾斜姿勢が所定時間以上継続していない場合（つまりステップＳＰ１３における判定の結果が「ＮＯ」である場合）は、リターンする。すなわち、今回取得された姿勢データに基づく処理を終了する。
【００４４】
一方、略同一の傾斜姿勢が所定時間以上継続している場合（つまりステップＳＰ１３における判定の結果が「ＹＥＳ」である場合）は、次にステップＳＰ１４において制御部１１は、データテーブル３１を検索し、その傾斜姿勢に対応する動作内容をデータテーブル３１から読み出す。例えば、前方３０度の傾斜姿勢が２ｓｅｃ以上継続している場合には、バーコードの読み取りを示す動作内容をデータテーブル３１から読み出す。
【００４５】
次にステップＳＰ１５において制御部１１は、ステップＳＰ１４で読み出した動作内容を実行するためのアプリケーションを起動することにより、その動作内容を実行させる。例えばバーコードの読み取りを示す動作内容をステップＳＰ１４で読み出した場合には、バーコードリーダ１３を動作させるためのアプリケーションを起動し、これによってバーコードリーダ１３はバーコードの読み取り処理を実行する。
【００４６】
バーコードの読み取り以外の動作内容についても同様に、特定の傾斜姿勢が所定時間以上継続されたことを制御部１１が検出した場合に、制御部１１は、その傾斜姿勢に対応する動作内容をデータテーブル３１から読み出し、その動作内容を実行するためのアプリケーションを起動する。
【００４７】
なお、ハイバーネートモードにおいては電源部１０から記憶部１７及び姿勢検出部１９等への給電が停止されているため、ハイバーネートモードから通常動作モードへの復帰動作（データテーブル３１の処理ナンバーＮ２）に関しては、他の処理とは処理内容が若干異なる。例えば、制御部１１は、計時部１２によって経過時間をカウントすることにより、所定時間（例えば５ｓｅｃ）毎に記憶部１７及び姿勢検出部１９等への給電を行う必要がある。また、ステップＳＰ１２では、直立姿勢からの変化の有無を判定するのではなく、ハイバーネートモードの姿勢（左方又は右方に９０度傾斜した傾斜姿勢）からの変化の有無が判定される。
【００４８】
以下、データテーブル３１への項目の追加処理について説明する。図９は、項目の追加処理の流れを示すフローチャートである。以下の例では、データテーブル３１の処理ナンバーＮ９の項目にＲＦＩＤによるデータの読み取り動作を追加し、処理ナンバーＮ１０の項目にＲＦＩＤによるデータの書き込み動作を追加する例について説明する。
【００４９】
まずステップＳＰ２１においてユーザは、操作部１６を操作することによって、項目を追加する処理ナンバーを選択する。この例では処理ナンバーＮ９が選択される。処理ナンバーＮ９が選択された旨の情報は、操作部１６から制御部１１に入力される。
【００５０】
次にステップＳＰ２２においてユーザは、操作部１６を操作することによって動作内容の候補一覧のメニューを表示部１５に表示させ、そのメニューの中から、ステップＳＰ２１で選択された処理ナンバーに対応付けるべき動作内容を選択する。この例ではＲＦＩＤの読み取り動作が選択される。ＲＦＩＤの読み取り動作が選択された旨の情報は、操作部１６から制御部１１に入力される。
【００５１】
次にステップＳＰ２３においてユーザは、携帯端末装置５を直立姿勢で保持する。制御部１１は、その状態で姿勢検出部１９によって検出された姿勢データ（角度及び方向）を基準値として記憶する。
【００５２】
次にステップＳＰ２４においてユーザは、データテーブル３１にすでに登録されている傾斜姿勢に重複しない傾斜姿勢で、携帯端末装置５を保持する。例えば、直立姿勢から前方に６０度傾斜させた傾斜姿勢で携帯端末装置５を保持する。なお、前方に６０度傾斜した傾斜姿勢は、図６の（Ｊ）に示されている。
【００５３】
次にステップＳＰ２５において制御部１１は、略同一の傾斜姿勢が所定時間（例えば２ｓｅｃ）以上継続しているか否かを判定する。具体的には、計時部１２によって経過時間をカウントしながら、略同一傾斜角度かつ略同一傾斜方向を示す姿勢データを所定時間以上継続して取得部２０から取得しているか否かを判定する。
【００５４】
略同一の傾斜姿勢が所定時間以上継続していない場合（つまりステップＳＰ２５における判定の結果が「ＮＯ」である場合）は、ステップＳＰ２４にリターンする。
【００５５】
一方、略同一の傾斜姿勢が所定時間以上継続している場合（つまりステップＳＰ２５における判定の結果が「ＹＥＳ」である場合）は、次にステップＳＰ２６において制御部１１は、ステップＳＰ２３で取得した基準値（つまり直立姿勢における角度及び方向）に対する、その傾斜姿勢における角度及び方向の変化量を求め、その変化量を傾斜角度及び傾斜方向として確定する。この例では傾斜角度として「６０度」が確定され、傾斜方向として「前方」が確定される。そして、制御部１１は、ステップＳＰ２２で選択された動作内容（ＲＦＩＤの読み取り動作）と、ステップＳＰ２５で確定した傾斜角度（「６０度」）及び傾斜方向（「前方」）とを相互に対応付けて、ステップＳＰ２１で選択された処理ナ
ンバー（処理ナンバーＮ９）の項目に追加する。以上の動作により、処理ナンバーＮ９の項目の追加が完了する。また、上記と同様の動作を行うことにより、処理ナンバーＮ１０の項目へＲＦＩＤの書き込み動作を追加することができる。また、すでに登録されている項目の変更も、上記と同様の動作によって行うことができる。
【００５６】
このように本実施の形態に係る携帯端末装置５によれば、姿勢検出部１９は、基準姿勢（上記の例では直立姿勢）からの携帯端末装置５の姿勢の傾斜角度及び傾斜方向を検出する。そして、制御部１１は、姿勢検出部１９によって検出された傾斜角度及び／又は傾斜方向に対応する動作内容を記憶部１７から読み出して、その動作内容で携帯端末装置５を動作させる。このように、傾斜姿勢に応じて携帯端末装置５の動作内容を制御することにより、操作部１６のスイッチ操作が不要となるため、ユーザの利便性を向上することが可能となる。
【００５７】
また、本実施の形態に係る携帯端末装置５によれば、記録担体からのデータの読み取り、記録担体へのデータの書き込み、携帯端末装置５の外部（無線アクセスポイント４又は外部機器）へのデータの送信、携帯端末装置５の外部からのデータの受信、及び、記憶部１７に蓄積されているデータ３２の消去のうちの少なくとも一つの動作を、携帯端末装置５の傾斜姿勢に応じて制御することができる。従って、これらの動作を実行するにあたって操作部１６のスイッチ操作が不要となるため、ユーザの利便性を向上することが可能となる。
【００５８】
また、本実施の形態に係る携帯端末装置５によれば、制御部１１は、姿勢検出部１９が携帯端末装置５の姿勢の傾斜角度及び傾斜方向を所定時間以上継続して検出したことを条件として、当該傾斜角度及び傾斜方向に対応する動作内容で携帯端末装置５を動作させる。このように、姿勢検出部１９が所定時間以上継続して検出したことを条件とすることにより、携帯端末装置５の誤動作を防止することが可能となる。
【００５９】
また、本実施の形態に係る携帯端末装置５によれば、所望の動作内容が指定された後、携帯端末装置５の姿勢を所望の傾斜姿勢で所定時間以上継続して維持することにより、当該動作内容が当該傾斜姿勢の傾斜角度及び傾斜方向に対応付けられてデータテーブル３１に登録される。従って、追加又は変更したい動作内容をメニューからの選択等によって指定した後に、携帯端末装置５を所望の姿勢で所定時間以上継続して傾斜させることにより、その動作内容をその傾斜姿勢に対応付けて簡易にデータテーブル３１に登録することができる。
【００６０】
なお、以上ではバーコードリーダ１３及びＲＦＩＤリーダライタ１４の双方が搭載されている携帯端末装置５を例にとって説明したが、バーコードリーダ１３及びＲＦＩＤリーダライタ１４の一方のみが搭載されている携帯端末装置についても同様に、本発明を適用することができる。
【００６１】
また、以上では傾斜角度及び傾斜方向の双方に基づいて携帯端末装置５の特定の動作を制御する例について説明したが、傾斜角度及び傾斜方向の一方のみに基づいて携帯端末装置５の動作を制御することもできる。
【００６２】
また、今回開示された実施の形態はすべての点で例示であって制限的なものではないと考えられるべきである。本発明の範囲は、上記した意味ではなく、特許請求の範囲によって示され、特許請求の範囲と均等の意味及び範囲内での全ての変更が含まれることが意図される。
【符号の説明】
【００６３】
１  データ管理システム
２  パソコン
５  携帯端末装置
１１  制御部
１３  バーコードリーダ
１４  ＲＦＩＤリーダライタ
１７  記憶部
１８  通信部
１９  姿勢検出部
２０  取得部
３０  プログラム
３１  データテーブル
３２  データ
【図１】
2010182198.tif 000003
【図２】
2010182198.tif 000004
【図３】
2010182198.tif 000005
【図４】
2010182198.tif 000006
【図５】
2010182198.tif 000007
【図６】
2010182198.tif 000008
【図７】
2010182198.tif 000009
【図８】
2010182198.tif 000010
【図９】
2010182198.tif 000011